(57)【要約】      （修正有）【課題】芯ずれの影響を最小限に抑制し、計量誤差の無い高精度のガスメータを提供する。【解決手段】計量膜の運動をクランクを介して永久磁石１４の回転運動に変換するためのプロペラ１２と、このプロペラに回転運動を伝達するための調整ピン１１において、調整ピンに調整ピンホルダー（Ａ）２３と調整ピンホルダー（Ｂ）２４を取り付け、調整ピンホルダー（Ｂ）の頂部をプロペラ羽根１３間に下方から係合させることによりクランクの回転運動をプロペラに伝達する。これにより、組み立て時又は経年的に芯ずれが生じた場合に簡単に調整をして計量誤差の発生を防ぐ。【選択図】図３
2018205128.tif 000002
【特許請求の範囲】
【請求項１】
計量室内に一対の計量膜を組み込み、この計量膜の往復運動により大ひじ金と小ひじ金を経由してクランクを回転し、このクランクの回転により永久磁石を回転すると共にこの永久磁石の回転を磁気センサにより検出して流量信号を出力する膜式ガスメータにおいて、
ａ．前記小ひじ金とクランク間に調整板を取り付け、この調整板と小ひじ金を調整ピンにて回転自在に連結すること、
ｂ．前記調整ピンの頂部を小ひじ金の上面より突出させ、この突出させた調整ピンの後壁に上端から下端までのカット面を形成すると共に外周壁上部に溝部を形成すること、
ｃ．前記調整ピンと略同径であって前記突出させた調整ピンの高さよりも低い中空部とこの中空部に横方向から前記調整ピンを挿入するためのスリットを設けると共に上開口部周囲の天面に前記溝部と嵌合するためのツバ部を具え、外周壁にねじ部を設けた略中空円柱状の調整ピンホルダー（Ａ）を前記調整ピンに横方向から取り付け、前記ツバ部と前記溝部を嵌合して固定すること、
ｄ．下方に開口部を有し、前記突出した調整ピン以上の高さの中空部を有すると共に内周壁にねじ部を設けた中心部分が上方へ膨らむドーム形状の天面を有する略中空円柱状の調整ピンホルダー（Ｂ）を双方のねじ部を螺合することにより前記調整ピンホルダー（Ａ）に嵌着して固定し、調整部材を構成すること、
ｅ．前記調整ピンホルダー（Ｂ）の頂部は調整ピンの上部に位置する電子室中央底部より下方に突出した回転駆動軸下部に取り付けたプロペラ羽根間に係合すること、
ｆ．前記電子室内の回転駆動軸上部に永久磁石を取り付け、この永久磁石は前記クランクの回転によって前記調整部材が円運動をする作用により係合するプロペラ羽根が回転し、この回転力が前記回転駆動軸に伝わることによって回転すること、
ｇ．前記永久磁石の回転を前記電子室内に設けた磁気センサにより検出して流量信号を出力すること、
を特徴とする膜式ガスメータ。
【請求項２】
計量室内に一対の計量膜を組み込み、この計量膜の往復運動により大ひじ金と小ひじ金を経由してクランクを回転し、このクランクの回転により永久磁石を回転すると共にこの永久磁石の回転を磁気センサにより検出して流量信号を出力する膜式ガスメータにおいて、
ａ．前記小ひじ金とクランク間に調整板を取り付け、この調整板と小ひじ金を調整ピンにて回転自在に連結すること、
ｂ．前記調整ピンの頂部を小ひじ金の上面より突出させ、この突出させた調整ピンの後壁に上端から下端までのカット面を形成すると共に外周壁上部に溝部を形成すること、
ｃ．前記調整ピン下部には調整カラーが取り付けられていること、
ｄ．下方に開口部を有し、前記調整ピンと略同径であって前記突出した調整ピンと略同高さの中空部とこの中空部に横方向から前記調整ピンを挿入するためのスリットを設け、このスリット開口部内に調整ピンの前記カット面に対して係合自在であって弾性を有する係合爪を形成すると共にこの係合爪の反対方向の内周壁に前記調整ピンの前記溝部と嵌合するためのツバ部を具える、中心部分が上方へ膨らむドーム形状の天面を有する略円柱状の調整ピンホルダー（Ｃ）を前記調整ピンに横方向から取り付けて前記ツバ部と前記溝部を嵌合した後、この調整ピンホルダー（Ｃ）のみを前記カット面側に向けて水平に９０度回転させることにより前記係合爪を前記カット面に対して係合させて調整ピンと調整ピンホルダー（Ｃ）を固定し、調整部材を構成すること、
ｅ．前記調整ピンホルダー（Ｃ）の頂部は調整ピンの上部に位置する電子室中央底部より下方に突出した回転駆動軸下部に取り付けたプロペラ羽根間に係合すること、
ｆ．前記電子室内の回転駆動軸上部に永久磁石を取り付け、この永久磁石は前記クランクの回転によって前記調整部材が円運動をする作用により係合するプロペラ羽根が回転し、この回転力が前記回転駆動軸に伝わることによって回転すること、
ｇ．前記永久磁石の回転を前記電子室内に設けた磁気センサにより検出して流量信号を出力すること、
を特徴とする膜式ガスメータ。
【発明の詳細な説明】
【技術分野】
【０００１】
本発明は、計量室から送出された計量膜の往復運動からクランクを介して回転運動に変換し、この回転運動を調整ピンを経由してプロペラに伝達すると共に、前記プロペラの回転駆動軸上に取り付けた永久磁石の回転を磁気センサで検出し、この磁気センサの信号から流量を演算する膜式ガスメータに関するものである。
【背景技術】
【０００２】
従来のプロペラを回転伝達機構内に使用した膜式ガスメータの例を図８〜図１０に示す。
この従来例の場合、小ひじ金１０１、１０２の先端は、調整ピン１０３で調整板１０４に連結し、永久磁石１００は、図８に示すように前記小ひじ金１０１に固定し、調整板１０４は、調整ピン１０３でクランク１０６に連結され、クランク１０６は小ひじ金１０１と１０２により回転される構成である。
【０００３】
図８において１０７はウォーム機構であって、水平回転軸１０８を介して機械式流量表示器（図示せず）に連動している。
【０００４】
以上に示す従来のガスメータの場合、永久磁石１００が小ひじ金１０１で連結されているため、磁気センサーとの組み立て時にずれが生じやすく、このずれが生じると計量誤差を発生し、ガスメータとしての信頼性が失われる。
【０００５】
そこで、永久磁石１００を小ひじ金１０１に直接取り付けるのではなく、公知文献１（愛知時計）に示すように調整ピン１０３の回転運動をプロペラに伝達し、このプロペラに永久磁石１００を取り付ける方法が提案されている。
【０００６】
この方法は、プロペラを調整板１０４から突出させた調整ピンで回転するため、組立時の芯ずれをプロペラで吸収し、計量誤差の発生を抑止することができる。
【発明の概要】
【発明が解決しようとする課題】
【０００７】
本発明は、このプロペラを使用する回転の伝達機構を採用したガスメータにおいて、芯ずれの影響を最小限に抑制し、計量誤差の無い高精度のガスメータを提供するのが目的である。
【課題を解決するための手段】
【０００８】
上記目的を達成するために請求項１に記載の発明は、計量室内に一対の計量膜を組み込み、この計量膜の往復運動により大ひじ金と小ひじ金を経由してクランクを回転し、このクランクの回転により永久磁石を回転すると共にこの永久磁石の回転を磁気センサにより検出して流量信号を出力する膜式ガスメータにおいて、ａ．前記小ひじ金とクランク間に調整板を取り付け、この調整板と小ひじ金を調整ピンにて回転自在に連結すること、ｂ．前記調整ピンの頂部を小ひじ金の上面より突出させ、この突出させた調整ピンの後壁に上端から下端までのカット面を形成すると共に外周壁上部に溝部を形成すること、ｃ．前記調整ピンと略同径であって前記突出させた調整ピンの高さよりも低い中空部とこの中空部に横方向から前記調整ピンを挿入するためのスリットを設けると共に上開口部周囲の天面に前記溝部と嵌合するためのツバ部を具え、外周壁にねじ部を設けた略中空円柱状の調整ピンホルダー（Ａ）を前記調整ピンに横方向から取り付け、前記ツバ部と前記溝部を嵌合して固定すること、ｄ．下方に開口部を有し、前記突出した調整ピン以上の高さの中空部を有すると共に内周壁にねじ部を設けた中心部分が上方へ膨らむドーム形状の天面を有する略中空円柱状の調整ピンホルダー（Ｂ）を双方のねじ部を螺合することにより前記調整ピンホルダー（Ａ）に嵌着して固定し、調整部材を構成すること、ｅ．前記調整ピンホルダー（Ｂ）の頂部は調整ピンの上部に位置する電子室中央底部より下方に突出した回転駆動軸下部に取り付けたプロペラ羽根間に係合すること、ｆ．前記電子室内の回転駆動軸上部に永久磁石を取り付け、この永久磁石は前記クランクの回転によって前記調整部材が円運動をする作用により係合するプロペラ羽根が回転し、この回転力が前記回転駆動軸に伝わることによって回転すること、ｇ．前記永久磁石の回転を前記電子室内に設けた磁気センサにより検出して流量信号を出力することを特徴とするものである。
【０００９】
また、請求項２に記載の発明は、計量室内に一対の計量膜を組み込み、この計量膜の往復運動により大ひじ金と小ひじ金を経由してクランクを回転し、このクランクの回転により永久磁石を回転すると共にこの永久磁石の回転を磁気センサにより検出して流量信号を出力する膜式ガスメータにおいて、ａ．前記小ひじ金とクランク間に調整板を取り付け、この調整板と小ひじ金を調整ピンにて回転自在に連結すること、ｂ．前記調整ピンの頂部を小ひじ金の上面より突出させ、この突出させた調整ピンの後壁に上端から下端までのカット面を形成すると共に外周壁上部に溝部を形成すること、ｃ．前記調整ピン下部には調整カラーが取り付けられていること、ｄ．下方に開口部を有し、前記調整ピンと略同径であって前記突出した調整ピンと略同高さの中空部とこの中空部に横方向から前記調整ピンを挿入するためのスリットを設け、このスリット開口部内に調整ピンの前記カット面に対して係合自在であって弾性を有する係合爪を形成すると共にこの係合爪の反対方向の内周壁に前記調整ピンの前記溝部と嵌合するためのツバ部を具える、中心部分が上方へ膨らむドーム形状の天面を有する略円柱状の調整ピンホルダー（Ｃ）を前記調整ピンに横方向から取り付けて前記ツバ部と前記溝部を嵌合した後、この調整ピンホルダー（Ｃ）のみを前記カット面側に向けて水平に９０度回転させることにより前記係合爪を前記カット面に対して係合させて調整ピンと調整ピンホルダー（Ｃ）を固定し、調整部材を構成すること、ｅ．前記調整ピンホルダー（Ｃ）の頂部は調整ピンの上部に位置する電子室中央底部より下方に突出した回転駆動軸下部に取り付けたプロペラ羽根間に係合すること、ｆ．前記電子室内の回転駆動軸上部に永久磁石を取り付け、この永久磁石は前記クランクの回転によって前記調整部材が円運動をする作用により係合するプロペラ羽根が回転し、この回転力が前記回転駆動軸に伝わることによって回転すること、ｇ．前記永久磁石の回転を前記電子室内に設けた磁気センサにより検出して流量信号を出力することを特徴とするものである。
【発明の効果】
【００１０】
上記本発明によると、ガスメータの組み立てに際し、調整ピンとプロペラ間に芯ずれが発生しても、調整部材によって調整ピンとプロペラ間に調整の自由度があるため、この自由度で芯ずれを吸収して計測精度に悪影響が発生しないようにできる。
【００１１】
請求項２に記載の発明によると、一部品のみの調整ピンホルダーで調整ピンとプロペラ間の調整を行うことができ、調整ピンホルダーの組み立て、装着脱が容易となる。
【図面の簡単な説明】
【００１２】
【図１】は膜式ガスメータ全体の縦断正面図である。
【図２】はＡ−Ａ’断面図である。
【図３】はクランク機構とプロペラ部分を示す断面図である。
【図４】（ａ）は調整ピンの縦断正面図である。（ｂ）は調整ピンホルダー（Ａ）の縦断正面図である。（ｃ）は調整ピンに調整ピンホルダー（Ａ）を取り付けた状態を示す縦断正面図である。（ｄ）は調整ピンホルダー（Ｂ）の縦断正面図である。（ｅ）は調整ピンに調整ピンホルダー（Ａ）及び調整ピンホルダー（Ｂ）を取り付けた状態を示す縦断正面図である。
【図５】（ａ）〜（ｅ）は実施例１に記載の調整ピンホルダー（Ａ）及び調整ピンホルダー（Ｂ）の調整ピンへの取り付け手順の説明図である。
【図６】（ａ）〜（ｄ）実施例２に記載の調整ピンホルダー（Ｃ）の説明図である。
【図７】（ａ）〜（ｆ）は実施例２に記載の調整ピンホルダー（Ｃ）の調整ピンへの取り付け手順の説明図である。
【図８】従来のガスメータの説明図である。
【図９】従来のガスメータのクランク部分の説明図である。
【図１０】従来のガスメータのクランク部分の断面図である。
【発明を実施するための形態】
【００１３】
以下、添付した図面に基づいて本発明の実施形態を詳細に説明する。
【実施例１】
【００１４】
図面中符号の１はガスメータ本体、２は前記ガスメータ本体１の下半に形成された計量室であって、２枚の計量膜３がガス圧により往復運動することによりガスの流量を計測するもので、この構成は公知の技術である。
【００１５】
５は前記計量膜３の往復運動をレバー４を介して一定の角度回転する縦方向に取り付けられたスピンドルであって、このスピンドル５は前記計量室２から機械室２０にその上端側５ａが突出し、この突出した部分に大ひじ金６と小ひじ金７を介してクランク８に伝達され、このクランク８を回転運動に変換する。
【００１６】
クランク８には、調整板９が取り付けられていて、小ひじ金７はこの調整板９にその先端部が調整ピン１１を介して連結されている。
【００１７】
調整ピン１１には調整ピン１１の頂部を露出させた状態で固定する調整ピンホルダー（Ａ）２３と、この調整ピンホルダー（Ａ）２３の上方からねじ部を螺合することにより調整ピンホルダー（Ａ）と固定する調整ピンホルダー（Ｂ）２４が組み付けられており、この調整ピンホルダー（Ｂ）２４の頂部が電子室１５の下部に設けられた等間隔の８枚のプロペラ羽根１３間に下方から係合し、調整ピン１１の円運動によりプロペラ１２に対して回転を伝達する。
【００１８】
このプロペラ１２の回転により、プロペラ１２の回転軸上に設置された永久磁石１４が回転する。
【００１９】
１６は、前記永久磁石１４の回転を検出し、流量信号を出力する磁気センサであって、この磁気センサ１６と電源１７は密封された電子室１５内に収容されている。
【００２０】
図中１０はウォーム、１８はガスの流入口、１９は計量済ガスの流出口、図２において、２１はバルブ、２２はバルブ駆動レバーである。
【００２１】
以上に説明した本発明に係るガスメータは、ガス流入口１８からガスの流入があると、このガスは計量室２内において計量膜３を駆動し、この駆動によりスピンドル５が一定角回転し、この回転により大ひじ金６と小ひじ金７を介してクランク８を回転する。
【００２２】
同時に、バルブ駆動レバー２２により計量室２内に流入するガスと計量室２から流出するバルブ２１を開閉する。
【００２３】
クランク８の調整板９が回転すると、このクランク８から突出している調整ピン１１が円運動し、プロペラ１２を回転する。
【００２４】
このプロペラ１２の回転により、プロペラ１２が取り付けられた回転駆動軸上に設置された永久磁石１４が回転し、この回転運動を磁気センサ１６が検出して流量信号を出力し、流量演算回路（図示せず。）を駆動する。
【００２５】
上記作用において、プロペラ１２と調整ピン１１の位置に誤差が生じた場合には、調整ピン１１に被着した調整ピンホルダー（Ａ）２３及び調整ピンホルダー（Ｂ）２４を調整することでプロペラ１２との係合関係を調整する。
【００２６】
これにより、プロペラ１２と調整ピン１１との位置関係が最初の組み立て時に比して誤差が生じた場合、又は経年的に誤差が生じた場合に、正常な状態となるように手軽に調整して器差を無くすことができる。
【００２７】
図４、図５は調整ピンホルダー（Ａ）２３と調整ピンホルダー（Ｂ）２４の説明図及び調整ピンホルダーを調整ピン１１に取り付ける手順を示すもので、図５（ａ）から（ｄ）の手順で各部品を（ｅ）に示すように組み立てる。
【００２８】
図５において、調整ピンホルダー（Ａ）２３に設けられたスリットの直線部２７と調整ピン１１の後壁に形成したカット面２８が平行になるように調整ピンホルダー（Ａ）２３を調整ピン１１に横方向から取り付けて溝部２５とツバ部２６を嵌合することにより固定し（（ａ）〜（ｄ））、その後に調整ピンホルダー（Ａ）２３の外周壁に設けたねじ部２９と調整ピンホルダーＢの内周壁に設けたねじ部３０とを螺合させることにより調整ピンホルダー（Ｂ）２４を調整ピンホルダー（Ａ）２３の上方から嵌着する（ｅ）。
【実施例２】
【００２９】
本実施例２は、実施例１と同じく調整ピン１１に取り付けてプロペラ羽根１３間に下方から係合する調整ピンホルダー（Ｃ）３１の構造に関するもので、図６において、この調整ピンホルダー（Ｃ）３１に形成されたスリット開口部内には調整ピン１１に対して係合自在であって弾性を有する係合爪３２が形成されており、前記調整ピンホルダー（Ｃ）３１を下部に調整カラー３４が取り付けられた調整ピン１１に対して横方向から取り付け、溝部２５とツバ部３３を嵌合させた後、調整ピンホルダー（Ｃ）３１のみを前記調整ピンの後壁に形成されたカット面２８側に向けて水平に９０度回転させることにより前記係合爪３２を前記カット面２８に対して係合させて調整ピン１１と調整ピンホルダー（Ｃ）３１とを固定する。
【００３０】
この調整ピンホルダー（Ｃ）３１は取付時及び取り外し時に工具等が必要なく、１部品で調整ピン１１に対して固定できるため、組み立てが簡単であるだけでなく、調整ピンホルダー（Ｃ）３１や調整ピン１１に不具合が生じ、プロペラ１２との係合関係を修復する場合には、実施例１の調整ピンホルダーに比して簡単に取り外して調整することができる。
【００３１】
図７は実施例２において説明した調整ピンホルダー（Ｃ）３１を調整ピン１１に取り付ける手順を示すもので（ａ）から（ｅ）の手順で各部品を（ｆ）に示すように組み立てる。
【符号の説明】
【００３２】
１  ガスメータ本体
２  計量室
３  計量膜
４  レバー
５  スピンドル
６  大ひじ金
７  小ひじ金
８  クランク
９  調整板
１０  ウォーム
１１  調整ピン
１２  プロペラ
１３  プロペラ羽根
１４  永久磁石
１５  電子室
１６  磁気センサ
１７  電源
１８  ガスの流入口
１９  ガスの流出口
２０  機械室
２１  バルブ
２２  バルブ駆動レバー
２３  調整ピンホルダー（Ａ）
２４  調整ピンホルダー（Ｂ）
２５  溝部
２６  ツバ部
２７  スリットの直線部
２８  カット面
２９  ねじ部
３０  ねじ部
３１  調整ピンホルダー（Ｃ）
３２  係合爪
３３  ツバ部
３４  調整カラー
【図１】
2018205128.tif 000003
【図２】
2018205128.tif 000004
【図３】
2018205128.tif 000005
【図４】
2018205128.tif 000006
【図５】
2018205128.tif 000007
【図６】
2018205128.tif 000008
【図７】
2018205128.tif 000009
【図８】
2018205128.tif 000010
【図９】
2018205128.tif 000011
【図１０】
2018205128.tif 000012